(57)【要約】【課題】使用中の他の画像投射装置におけるリモコン情報の表示が行われないようにする。【解決手段】リモコンから、リモコンの第１識別情報、及び画像投射装置に特定の処理を指示する操作コマンドを受信するリモコン受信部と、受信した第１識別情報が、画像投射装置に割り当てられた第２識別情報と一致する場合に、操作コマンドによって指示された処理を実行する処理実行部と、を備え、処理実行部は、操作コマンドによって指示された処理が、第１識別情報、及び第２識別情報の少なくとも一方を投影させる処理である場合、画像投射装置が無信号状態であるか否かを判定し、無信号状態である場合は、第１識別情報、及び第２識別情報の一致の有無に関わらず投影を指示された第１識別情報、及び第２識別情報を投影させる処理を実行し、無信号状態でない場合は、第１識別情報、及び第２識別情報を投影させる処理を実行しない。【選択図】図１
2015050663.tif 000002
【特許請求の範囲】
【請求項１】
リモコンから操作指示を受け付ける画像投射装置であって、
前記リモコンから、リモコンの第１識別情報、及び前記画像投射装置に特定の処理を指示する操作コマンドを受信するリモコン受信部と、
受信したリモコンの前記第１識別情報が、前記画像投射装置に割り当てられた第２識別情報と一致する場合に、前記操作コマンドによって指示された処理を実行する処理実行部と、
を備え、
前記処理実行部は、前記操作コマンドによって指示された処理が、前記第１識別情報、及び前記第２識別情報の少なくとも一方を投影させる処理である場合、前記画像投射装置が無信号状態であるか否かを判定し、前記無信号状態である場合は、前記第１識別情報、及び第２識別情報の一致の有無に関わらず投影を指示された前記第１識別情報、及び第２識別情報を投影させる処理を実行し、前記無信号状態でない場合は、前記第１識別情報、及び第２識別情報を投影させる処理を実行しない
ことを特徴とする画像投射装置。
【請求項２】
前記処理実行部は、前記第１識別情報、及び前記第２識別情報を投影させる処理を実行中である間に、所定の操作が行われたことを検知すると、前記第２識別情報を、前記第１識別情報に一致するよう変更させる
ことを特徴とする請求項１に記載の画像投射装置。
【請求項３】
前記処理実行部は、前記第１識別情報、及び第２識別情報を投影させる処理を予め設定された時間継続し、設定された時間の経過後は前記第２識別情報を変更する処理を実行しない
ことを特徴とする請求項２に記載の画像投射装置。
【請求項４】
リモコンから操作指示を受け付け、処理実行部を備えた画像投射装置における制御方法であって、
前記リモコンから、リモコンの第１識別情報、及び前記画像投射装置に特定の処理を指示する操作コマンドを受信するリモコン受信ステップと、
前記処理実行部が、受信した前記第１識別情報が、前記画像投射装置に割り当てられた第２識別情報と一致する場合に、前記操作コマンドによって指示された処理を実行する操作実行ステップと、
前記処理実行部が、前記操作コマンドによって指示された処理が、前記第１識別情報、及び前記第２識別情報の少なくとも一方を投影させる処理である場合、前記画像投射装置が無信号状態であるか否かを判定し、前記無信号状態である場合は、前記第１識別情報、及び第２識別情報の一致の有無に関わらず投影を指示された前記第１識別情報、及び第２識別情報を投影させる処理を実行し、前記無信号状態でない場合は、前記第１識別情報、及び第２識別情報を投影させる処理を実行しない識別情報表示ステップと、
を含むことを特徴とする制御方法。
【発明の詳細な説明】
【技術分野】
【０００１】
本発明は、画像投射装置および制御方法に関する。
【背景技術】
【０００２】
リモコンの出力信号には、一般的に、操作可能な画像投射装置を特定するための識別番号（リモコンＩＤ）を示すカスタムコードと、ユーザの操作（操作コマンド）を示すデータコードとが含まれる。カスタムコードは一般的にメーカ毎および機種毎に複数割り当てられている。そして、割り当てられた複数のカスタムコードのうちのいずれかを画像投射装置およびリモコンの双方にユーザが任意に設定できるようにして、特定の画像投射装置のみを特定のリモコンで操作できるようにしている。
【０００３】
リモコンには自らに設定されているリモコンＩＤを表示する手段がないことが多く、この場合、ユーザはリモコンに設定されているリモコンＩＤを知ることはできない。そこで、特定のリモコン操作により、リモコンに設定されているリモコンＩＤを画像投射装置が表示する操作画面上で表示し、ユーザが容易に確認することができる画像投射装置が既に知られている。
【発明の概要】
【発明が解決しようとする課題】
【０００４】
しかし、上記のような画像投射装置は、リモコンの動作範囲内にある全ての画像投射装置でリモコンＩＤの表示をおこなってしまい、他の画像投射装置を使用中のユーザに迷惑がかかる、という問題があった。
【０００５】
本発明は、上記課題に鑑みてなされたものであり、他の画像投射装置におけるリモコン情報の表示が行われないようにする画像投射装置を提供することを目的とする。
【課題を解決するための手段】
【０００６】
上述した課題を解決し、目的を達成するために、本発明は、リモコンから操作指示を受け付ける画像投射装置であって、前記リモコンから、リモコンの第１識別情報、及び前記画像投射装置に特定の処理を指示する操作コマンドを受信するリモコン受信部と、受信した前記第１識別情報が、前記画像投射装置に割り当てられた第２識別情報と一致する場合に、前記操作コマンドによって指示された処理を実行する処理実行部と、を備え、前記処理実行部は、前記操作コマンドによって指示された処理が、前記第１識別情報、及び前記第２識別情報の少なくとも一方を投影させる処理である場合、前記画像投射装置が無信号状態であるか否かを判定し、前記無信号状態である場合は、前記第１識別情報、及び第２識別情報の一致の有無に関わらず投影を指示された前記第１識別情報、及び第２識別情報を投影させる処理を実行し、前記無信号状態でない場合は、前記第１識別情報、及び第２識別情報を投影させる処理を実行しないことを特徴とする。
【発明の効果】
【０００７】
本発明によれば、他の画像投射装置におけるリモコン情報の表示が行われないようにすることができるという効果を奏する。
【図面の簡単な説明】
【０００８】
【図１】図１は、画像投射装置の機能構成を示すブロック図である。
【図２】図２は、リモコンが画像投射装置へと送信する出力信号のデータの一例を示す図である。
【図３】図３は、画像投射装置のプロジェクタＩＤとリモコンＩＤを表示するＯＳＤについて説明する図である。
【図４】図４は、リモコンからの出力信号を受信して、リモコンＩＤとプロジェクタＩＤをＯＳＤに表示する処理の流れを説明するフロー図である。
【図５】図５は、リモコンからの出力信号を受信して、リモコンＩＤとプロジェクタＩＤをＯＳＤに表示する変形例の処理の流れを説明するフロー図である。
【発明を実施するための形態】
【０００９】
以下に添付図面を参照して、画像投射装置の実施の形態を詳細に説明する。図１は、画像投射装置の一例であるプロジェクタの機能構成を示すブロック図である。図１に示されるように、画像投射装置１は、全体制御部１０（処理実行部）、リモコン受信部１１、操作パネル１２、外部接続部１３、画像データ処理部１４、ＯＳＤ（Ｏｎ  Ｓｃｒｅｅｎ  Ｄｉｓｐｌａｙ）データ保存部１５、画像データ投影部１６、ランプ制御部１７、及びランプ１８を備えている。全体制御部１０は、画像投射装置１の制御の中心を担い、例えばＣＰＵなどのプロセッサにより構成されている。全体制御部１０は、リモコン受信部１１がリモコン２０から受信した出力信号の取得、操作パネル１２における操作の受け付け、画像データ投影部１６へ表示する表示するデータ（以下、ＯＳＤデータという）の指定などを行う。なお、これらの各部はプログラムによって実現されていても、電子回路などのハードウェアによって実現されていてもよい。
【００１０】
リモコン受信部１１は、リモコン２０からの出力信号を受信する。操作パネル１２は、ユーザによる画像投射装置１の操作を受け付けるインタフェースである。外部接続部１３は、例えばＰＣなどと接続し、投射する画像データの入力を受け付ける。画像データ処理部１４は、ＯＳＤデータ保存部１５から表示するＯＳＤデータを取得し、外部接続部１３からの画像データと合成して、画像データ投影部１６に送る。
【００１１】
ＯＳＤデータ保存部１５には、リモコン２０を識別する情報であるリモコンＩＤを表示する画面データや、メニュー画面など全てのＯＳＤデータが保存されている。画像データ投影部１６は、画像データ処理部１４から受信した画像データを投影する。
【００１２】
図２は、リモコン２０が画像投射装置１へと送信する出力信号のデータの一例を示す図である。図２に示されるように、リモコン２０が送信する出力信号は、カスタムコード（リモコンＩＤ）とデータコード（操作コマンド）を含んでおり、それぞれ１６ｂｉｔのデータである。カスタムコード（リモコンＩＤ）は、一般的にメーカ毎、及び機種毎に複数割り当てられている。本実施例では、４つのカスタムコードが割り当てられており、それぞれリモコンＩＤ：１〜４に割り当てている。リモコン２０からどのカスタムコードを送信するかは、リモコン２０の操作で変更することができる。例えば、１〜４の数字ボタンとリモコンＩＤボタンを同時に長押しして変更することができる。また、画像投射装置のＩＤも画像投射装置のメニューなどから変更することができる。データコード（コマンド）は、ユーザの操作を表している。例えばリモコン２０では、リモコンＩＤを表示するコマンドには０ｘ０００４のデータコードが割り当てられている。すなわち、データコードが画像投射装置１に実行する処理を指定する。
【００１３】
図３は、画像投射装置１のプロジェクタＩＤとリモコンＩＤを表示するＯＳＤについて説明する図である。リモコンから送信されるのは、１６ｂｉｔのカスタムコードだが、ＯＳＤでは、１〜４のリモコンＩＤに変換して表示される。本実施形態では、リモコンＩＤとプロジェクタＩＤがそれぞれリモコン２０を識別する第１識別情報および画像投影装置１を識別する第２識別情報に該当する。
【００１４】
図４は、リモコン２０からの出力信号を受信して、リモコンＩＤとプロジェクタＩＤをＯＳＤに表示する処理の流れを説明する図である。図４に示されるように、本処理はリモコン２０から出力信号を受信することで開始される。まず、リモコン受信部１１は、リモコン２０から受信したデータコードを解析し、リモコンＩＤを表示するコマンドであるか否かを判定する（ステップＳ１０１）。リモコンＩＤを表示するコマンドである場合（ステップＳ１０１：Ｙｅｓ）、画像データ処理部１４は、画像投射装置１が無信号状態であるか否かを判定する（ステップＳ１０２）。無信号状態とは、接続されたＰＣなどの外部装置から映像や画像などの特定の信号が入力されていない状態を示す。無信号状態であると判定された場合（ステップＳ１０２：Ｙｅｓ）、画像データ処理部１４は、リモコンＩＤと、プロジェクタＩＤとをＯＳＤに表示させる画像データ投影部１６と、全体制御部１０に指示を送り、図３で示したＯＳＤを表示する（ステップＳ１０３）。一方、無信号状態でないと判定された場合（ステップＳ１０２：Ｎｏ）、そのまま処理を終了する。
【００１５】
また、リモコンＩＤを表示するコマンドでない場合（ステップＳ１０１：Ｎｏ）、全体制御部１０は、入力されたリモコンＩＤと、画像投射装置１のプロジェクタＩＤとが一致するか否かを判定する（ステップＳ１０４）。入力されたリモコンＩＤと、画像投射装置１のプロジェクタＩＤとが一致すると判定された場合（ステップＳ１０４：Ｙｅｓ）、全体制御部１０は、受信したコマンドの内容に応じた処理を実行する（ステップＳ１０５）。入力されたリモコンＩＤと、画像投射装置１のプロジェクタＩＤとが一致しないと判定された場合（ステップＳ１０４：Ｎｏ）、そのまま処理を終了する。
【００１６】
本実施形態の画像投射装置１にあっては、リモコン２０からリモコンＩＤを表示するコマンドを受信したときに、画像投射装置１が無信号状態の場合に限り、リモコンＩＤとプロジェクタＩＤをＯＳＤで表示することとした。そのため、画像投影中の画像投射装置１には影響がないため、画像投射装置１を使用中のユーザが、投射中にリモコンＩＤが表示されて邪魔されてしまうことを防止することができるようになる。
【００１７】
（変形例）
以下に、リモコン２０からの出力信号を受信した場合の処理の流れの変形例を図５を参照して説明する。図５では、ステップＳ２０１〜Ｓ２０５の処理は、図４のステップＳ１０１〜Ｓ１０５と対応しており、説明を省略する。図４と異なる点は、画像投射装置１が無信号状態であった場合に続く処理として、リモコンＩＤに対応するプロジェクタＩＤに変更する処理を実施する点であり、以下詳細に説明する。
【００１８】
画像投射装置１が無信号状態であると判定された場合（ステップＳ２０２：Ｙｅｓ）、全体制御部１０は、リモコンＩＤとプロジェクタＩＤをＯＳＤで表示した後、一定時間（本実施形態では５秒）経過したか否かを判定する（ステップＳ２０６）。５秒経過したと判定された場合（ステップＳ２０６：Ｙｅｓ）、ステップＳ２０９に進み、全体制御部１０は、リモコンＩＤとプロジェクタＩＤのＯＳＤの表示を停止させる（ステップＳ２０９）。
【００１９】
一方、５秒経過していないと判定された場合（ステップＳ２０６：Ｎｏ）、全体制御部１０は、プロジェクタＩＤが変更される操作（本実施形態では、操作パネル１２のＥＮＴＥＲボタンが押される操作）が行われたか否かを判定する（ステップＳ２０７）。プロジェクタＩＤが変更される操作が行われたと判定された場合（ステップＳ２０７：Ｙｅｓ）、全体制御部１０は、画像投射装置のＩＤを、受信したリモコンＩＤと同じＩＤに変更する。（ステップＳ２０８）。そして、ステップＳ２０９へと移行する。
【００２０】
以上で示した変形例の画像投射装置１にあっては、リモコンのＩＤと画像投射装置のプロジェクタＩＤをＯＳＤで表示しているときに、プロジェクタＩＤの変更の操作を行うことで、画像投射装置のＩＤを受信したリモコンＩＤと同じＩＤに変更できる。そのため、ユーザは容易にリモコンのＩＤと画像投射装置のプロジェクタＩＤを一致させてリモコンにより画像投射装置１を操作することができるようになる。
【００２１】
なお、本実施の形態の画像投射装置で実行されるプログラムは、ＲＯＭ等に予め組み込まれて提供される。本実施の形態の画像投射装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００２２】
さらに、本実施の形態の画像投射装置で実行されるプログラムを、インターネット等のネットワークに接続されたコンピュータ上に格納し、ネットワーク経由でダウンロードさせることにより提供するように構成しても良い。また、本実施の形態の画像投射装置で実行されるプログラムをインターネット等のネットワーク経由で提供または配布するように構成しても良い。
【００２３】
本実施の形態の画像投射装置で実行されるプログラムは、上述した各部を含むモジュール構成となっており、実際のハードウェアとしてはＣＰＵ（プロセッサ）が上記ＲＯＭからプログラムを読み出して実行することにより上記各部が主記憶装置上にロードされ、各部が主記憶装置上に生成されるようになっている。
【符号の説明】
【００２４】
１  画像投射装置
１０  全体制御部
１１  リモコン受信部
１２  操作パネル
１３  外部接続部
１４  画像データ処理部
１５  ＯＳＤデータ保存部
１６  画像データ投影部
１７  ランプ制御部
１８  ランプ
２０  リモコン
【先行技術文献】
【特許文献】
【００２５】
【特許文献１】特開２０１１−０１９０６３号公報
【図１】
2015050663.tif 000003
【図２】
2015050663.tif 000004
【図３】
2015050663.tif 000005
【図４】
2015050663.tif 000006
【図５】
2015050663.tif 000007